(57)【要約】      （修正有）【課題】シート本体を湾曲させて密閉を保たなければならず、その為の手段として収縮率の異なる樹脂シートを多層に重ね合わせる必要があり、シートを作製する上での条件が限定されてしまっていた。これに加え、成形条件によって収縮率のばらつきが大きく、一定の湾曲形状を得ることができないことがあった。そのために安定した密閉効果を得る挾持具を提供する。【解決手段】袋体の開口部４を開閉可能に挟持する挟持具７であって、その挟持具７は前記袋体の表面を押圧する挟持部と、非挟持部を有してなる挟持具７。【選択図】図４
2013233941.tif 000002
【特許請求の範囲】
【請求項１】
袋体の開口部を開閉可能に挟持する挟持具であって、その挟持具は前記袋体の表面を押圧する挟持部と、非挟持部を有してなる挟持具。
【請求項２】
前記袋体の開口部を、その開口部と直交する方向に湾曲せしめた状態で挟持した請求項１記載の挟持具。
【請求項３】
前記挟持部の先端に突起を形成すると共に、その突起を前記開口部の先端に埋没させた請求項１、或いは、請求項２に記載の挟持具。
【請求項４】
前記平坦状に設けた開口部の内面に剥離層を設けた請求項１〜請求項３の何れかに記載の挟持具。
【発明の詳細な説明】
【技術分野】
【０００１】
本発明は、液体の吐出容器であり、特に液体の逆流と空気の流入を防止することを目的にした吐出機構に関するものである。
【背景技術】
【０００２】
空気の逆流を防止することができる容器として、従来から閉止弁構造が提案されて市販化されている。そのひとつに非通気性シートを用いた２枚の外装シートを対向させることにより扁平な筒状の空気通路を形成し、その外装シートを互いに密着させることで空気通路を閉じることができる閉止弁構造がある。
【先行技術文献】
【特許文献】
【０００３】
【特許文献１】特許３９８９８１５号公報
【発明の概要】
【発明が解決しようとする課題】
【０００４】
しかしながら、これらの従来技術は、シート本体を湾曲させて密閉を保たなければならず、その為の手段として収縮率の異なる樹脂シートを多層に重ね合わせる必要があり、シートを作製する上での条件が限定されてしまっていた。これに加え、成形条件によって収縮率のばらつきが大きく、一定の湾曲形状を得ることができないため、安定した密閉効果を得ることが困難であった。
【課題を解決するための手段】
【０００５】
本発明は、袋体の開口部を開閉可能に挟持する挟持具であって、その挟持具は前記袋体の表面を押圧する挟持部と、非挟持部を有してなる挟持具を要旨とする。
【発明の効果】
【０００６】
本発明は、袋体の開口部を開閉可能に挟持する挟持具であって、その挟持具は前記袋体の表面を押圧する挟持部と、非挟持部を有してなる挟持具としているので、確実に内容液を吐出することができると共に、液体の逆流と空気の流入を防止することができる。
【図面の簡単な説明】
【０００７】
【図１】第１実施例を示す側面図及び部分断面図。
【図２】第１実施例を示す正面図。
【図３】第１実施例を示す斜視図。
【図４】図３の要部詳細図。
【図５】第２実施例を示す側面図及び部分断面図。
【図６】第２実施例を示す正面図。
【図７】第２実施例を示す斜視図。
【図８】図７の要部詳細図。
【図９】第２実施例を示す挟持具の斜視図。
【図１０】第３実施例を示す側面図及び部分断面図。
【図１１】第３実施例を示す正面図。
【図１２】第３実施例を示す斜視図。
【図１３】図１２の要部詳細図。
【図１４】第３実施例を示す挟持具の斜視図。
【図１５】第４実施例を示す側面図及び部分断面図。
【図１６】第４実施例を示す正面図。
【図１７】第４実施例を示す斜視図。
【図１８】図１７の要部詳細図。
【図１９】第４実施例を示す挟持具の斜視図。
【図２０】第３実施例の変形例を示す斜視図。
【図２１】第３実施例の変形例を示す側面図。
【図２２】図２１の要部詳細図。
【発明を実施するための形態】
【０００８】
本発明を実施するための形態を図面に基づいて説明する。図１乃至図４は、本発明における第１の実施例である。図１及び図２において、袋体１は一端に平坦部２を設けてあり、その平坦部２の端部３には開口部４を設けている。また、袋体１の周囲５及び端部６は溶着、接着または一体的に構成された密閉構造となっている。そして、袋体１内には内容液Ｌを収納している。
本例では周囲５を筒状に形成した密閉構造とし、端部６は内容液Ｌを袋体1に充填した後に溶着して密閉をする構造となっている。また、袋体１の平坦部２には挟持具７が着脱自在に装着されている。
なお、前記袋体１はポリプロピレンや高密度ポリエチレン、低密度ポリエチレン、直鎖状低密度ポリエチレン、ポリアミド、ポリビニルアルコール、ポリ塩化ビニリデン、ポリ塩化ビニル、エチレン酢酸ビニル、エチレンビニルアルコール共重合体、ポリウレタン、熱可塑性エラストマー等の合成樹脂またはアルミニウム等をシート状にしたもの、それらを積層した複合材質など、変形容易な軟質材を用いることが好ましい。
【０００９】
次に図３及び図４において、その挟持具７の説明をする。図３は図１及び図２の斜視図である。前記挟持具７には袋体１の平坦部２に対して開口部４の両脇部９と係合する爪部８が設けられている。その爪部８はクリアランスＣを設けてお互いに向き合っている。
また、挟持具７を形成する材質としては、ステンレス鋼や真鍮、アルミニウム、鉄等の金属材、ポリアセタール、ポリカーボネート、ポリメタクリル酸メチル、ポリエチレンテレフタレート、ポリスチレン、塩化ビニル、ポリアミド、ポリアリレート、液晶ポリマー、ポリエーテルエーテルケトン、アクリロニトリルブタジエンスチレン共重合体、ポリプロピレン、高密度ポリエチレン、低密度ポリエチレン、直鎖状低密度ポリエチレン、ポリフェニレンエーテル、ポリフェニレンオキサイド、ポリフェニレンサルファイド、ポリブタジエン、ポリブチレンテレフタレート、ポリメチルペンテン、生分解性プラスチック等の高分子樹脂が上げられる。
尚、平坦部２の端部（近傍）３の内面には、剥離層が形成されている。その剥離層の具体例としては、シリコーン樹脂やポリテトラフルオロエチレン樹脂、蝋などが挙げられる。なお、その剥離層は端部３のみに形成しており、平坦部２の内面には設けられていない。剥離層を設けることによって、平坦部２の端部３の内面が密着することがなく、毛細管現象によって内容液Ｌが平坦部２内面を伝わって開口部４まで導かれることがなくなる。その結果、内容液Ｌが周囲のものに付着してしまったり、開口部４に汚れが付着してしまうことが防止できる。
【００１０】
次に吐出動作について説明する。袋体１の開口部４は挟持具７の爪部８によって、その両脇部９を開閉不可となるよう密閉されている。また、開口部４の中央部１０は挟持具７の爪部８に設けたクリアランスＣによって開閉自在になっているが、通常は内壁が密着状態となるよう挟持されている。ここで、使用者が袋体１の押圧部Ｔを押圧すると袋体１の内圧が高まり、内容液Ｌが袋体１から吐出しようと移動する。つまり、内容液Ｌは周囲を密閉された袋体１によって移動を阻止され、結果として平坦部２の内壁を押圧するように移動する。この時、平坦部２には挟持具７の係合によってクリアランスＣ部が設けてあるので内容液Ｌが平坦部２の内壁を押し上げることが可能となる。その結果、開口部４を開口することで袋体1から外方に吐出される。  
【００１１】
次に密閉動作について説明する。使用者が袋体1の押圧部Ｔを押圧することをやめると袋体１の内圧が高まるのが停止し、同時に平坦部２は内容液Ｌによって内壁を押圧されることがなくなる。つまり、平坦部２は内容液Ｌの押圧がなくなると挟持具７によって基の形状に戻ろうとするため、再び密着状態となる。
【００１２】
本発明を実施するための他の形態を図面に基づいて説明する。図５乃至図９は本発明における第２の実施例である。図５及び図６において、袋体１は一端に平坦部２を設けてあり、その平坦部２の端部３には開口部４を設けている。また、袋体１の周囲５及び端部６は溶着、接着または一体的に構成された密閉構造となっている。そして、袋体１内には内容液Ｌを収納している。本例では周囲５を筒状に形成した密閉構造とし、端部６は内容液Ｌを袋体1に充填した後に溶着して密閉をする構造となっている。さらに、袋体１の平坦部２には挟持具２１が着脱自在に装着されている。
【００１３】
次に図７乃至図９において、挟持具２１の説明をする。図７は図５及び図６の斜視図である。前記挟持具２１には、袋体１の平坦部２に対して開口部４の両脇部９と係合する爪部２２が設けられている。その爪部２２はクリアランスＣを設けてお互いに向き合っている。また、挟持具２１の底部２３はクリアランスＣを内径側にした湾曲形状となっている。さらに、底部２３には袋体１の開口部４から延出するように先述の湾曲形状を保ちながら先端が先細りとなった案内部２４が設けられている。
【００１４】
次に吐出動作について説明する。前記袋体１の開口部４は挟持具２１の爪部２２によって、その両脇部９を開閉不可となるよう密閉されている。また、その開口部４の中央部１０は挟持具２１の爪部２２に設けたクリアランスＣによって開閉自在になっているが、通常は挟持具２１の底部２３に設けられた湾曲形状によって平坦部２を湾曲状に変形せしめられ、その平坦部２が内壁が密着状態となっている。ここで、使用者が袋体１の押圧部Ｔを押圧すると、袋体１の内圧が高まり、内容液Ｌが袋体１から吐出しようと移動する。この時、内容液Ｌは周囲を密閉された袋体１によって移動を阻止されているため、結果として平坦部２の内壁を押圧するように移動する。そして、平坦部２には挟持具２１の係合によってクリアランスＣ部が設けてあるので、前記内容液Ｌが平坦部２の内壁を押し上げることが可能となり、遂には開口部４が開口され、袋体1から内容液Ｌが外方に吐出される。
【００１５】
次に密閉動作について説明する。使用者が袋体1の押圧部Ｔを押圧することをやめると袋体１の内圧が高まるのが停止し、同時に平坦部２は内容液Ｌによって内壁を押圧されることがなくなる。その結果、平坦部２は挟持具２１によって一定方向に湾曲させられていて内容液Ｌの押圧がなくなると基の形状に戻ろうとするため、再び密着状態となる。
【００１６】
本発明を実施するための更に他の形態を図面に基づいて説明する。図１０乃至図１４は本発明における第３の実施例である。図１０及び図１１において、袋体１は一端に平坦部２を設けてあり、その平坦部２の端部３には開口部４を設けている。また、袋体１の周囲５及び端部６は溶着、接着、または、一体的に構成された密閉構造となっている。そして、袋体１内には内容液Ｌを収納している。また、その袋体１の平坦部２には挟持具３１が着脱自在に装着されている。
【００１７】
次に図１２乃至図１４において、挟持具３１の説明をする。図１２は図１０及び図１１の斜視図である。本例における挟持具は、針金状部材から構成されている。その挟持具３１には袋体１の平坦部２に対して開口部４の両脇部９を挟み込むように、上方に屈曲して形成された腕部３２と平坦部２の底側に屈曲して形成された顎部３３が互いに開口部４から後方に向けて設けられている。そして、腕部３２はクリアランスＣを設けてお互いに平行に配置されている。また、挟持具３１の顎部３３はクリアランスＣを内径側にした湾曲形状となっている。
【００１８】
次に吐出動作について説明する。前記袋体１の開口部４は挟持具３１の腕部３２によって、その両脇部９を開閉不可となるよう密閉されている。また、前記開口部４の中央部１０は挟持具３１の腕部３２に設けたクリアランスＣによって開閉自在になっているが、通常は挟持具３１の顎部３３に設けられた湾曲形状によって、平坦部２を湾曲状に変形せしめ内壁が密着状態となっている。ここで、使用者が袋体１の押圧部Ｔを押圧すると袋体１の内圧が高まり、内容液Ｌが袋体１から吐出しようと移動する。この時、内容液Ｌは周囲を密閉された袋体１によって移動を阻止されているため、結果として平坦部２の内壁を押圧するように移動する。また、平坦部２には挟持具３１の係合によってクリアランスＣ部が設けてあるので内容液Ｌが平坦部２の内壁を押し上げることが可能となり、開口部４を開口することで袋体1から外方に吐出される。  
【００１９】
次に密閉動作について説明する。使用者が袋体1の押圧部Ｔを押圧することをやめると袋体１の内圧が高まるのが停止し、同時に平坦部２は内容液Ｌによって内壁を押圧されることがなくなる。その結果、平坦部２は挟持具３１によって一定方向に湾曲させられていて内容液Ｌの押圧がなくなると基の形状に戻ろうとするため、再び密着状態となる。
【００２０】
本発明を実施するための更に他の形態を図面に基づいて説明する。図１５乃至図１９は本発明における第４の実施例である。図１５及び図１６において、袋体１は一端に平坦部２を設けてあり、その平坦部２の端部３には開口部４を設けている。また、袋体１の周囲５及び端部６は溶着、接着または一体的に構成された密閉構造となっている。そして、袋体１内には内容液Ｌを収納している。また袋体１の平坦部２には筒状の挟持具４１が着脱自在に装着されている。
【００２１】
次に図１７乃至図１９において、前記筒状の挟持具４１の説明をする。図１７は図１５及び図１６の斜視図である。筒状の挟持具４１の内径Ｓは袋体１に形成された平坦部２の両脇部９の幅よりも小さく設定されている。また、筒状の挟持具４１には切欠き部４２を設けてあり腕部４３を、その内径側に撓ませてある。さらに、その腕部４３の先端部には撓ませた側とは反対側に反りかえった押さえ部４４を設けてある。そして、筒状の挟持具４１の腕部４３と対面する側には、開口部４に向けて突出した突起部４５が形成されている。
【００２２】
前記筒状の挟持具４１は、袋体１の平坦部２をその内径側に包み込むように丸めて装着されている。一方、筒状の挟持具４１の腕部４３は袋体１の平坦部２を一方から押圧している。
【００２３】
次に吐出動作について説明する。袋体１の平坦部２は、その両脇部９の幅よりも小さい筒状の挟持具４１によって湾曲されているため、その内壁が密着状態となっている。そして更に、その袋体１の開口部４は筒状の挟持具４１の腕部４３によってその中央部１０を押圧されている。また、前記腕部４３によって押圧された中央部１０の両脇近傍は、上方に空間を持って開閉自在となっている。ここで、使用者が袋体１の押圧部Ｔを押圧すると袋体１の内圧が高まり、内容液Ｌが袋体１から吐出しようと移動する。この時、内容液Ｌは周囲を密閉された袋体１によって移動を阻止されているため、結果として平坦部２の内壁を押圧するように移動する。また、その平坦部２には挟持具４１の腕部４３によってその中央部１０を押圧されているが中央部１０の両脇近傍は上方に空間を持って開閉自在となっているので、内容液Ｌが平坦部２の内壁を押し上げることが可能となり、その押上げ作用によって開口部４が開口し、袋体1から前記内容液１が外方に吐出される。  
【００２４】
次に密閉動作について説明する。使用者が袋体1の押圧部Ｔを押圧することをやめると袋体１の内圧が高まるのが停止し、同時に平坦部２は内容液Ｌによって内壁を押圧されることがなくなる。その結果、平坦部２は挟持具４１によって一定方向に湾曲させられていて内容液Ｌの押圧がなくなると基の形状に戻ろうとするため、再び密着状態となる。  
【００２５】
本発明を実施するための更に他の形態を図面に基づいて説明する。図２０乃至図２２は本発明における第５の実施例である。本例は袋体及び動作については前述のものと同等である。図２０において、袋体１の平坦部２には挟持具５１が着脱自在に装着されている。その挟持具５１には挟持具５１側から開口部４内径に向けて、徐々に幅が狭くなる円錐状または角錐状に突出部５２が形成されている。尚、前述の図１９に示した筒状の挟持具４１にも同様に円錐状または角錐状に突起部４５が形成されている。その突出部５２（突起部４５）は開口部４の端部３を僅かに押し広げるように挿入されている。
【００２６】
前記袋体１は、密閉状態では常に平坦部２から開口部４にかけて密着している状態である。そして、密着している部分では内容液Ｌの毛細管現象が起こり、その密着している部分の端部３まで内容液Ｌが導かれる。そこで、開口部４の端部３を僅かに押し広げた状態にすると、密着部分も僅かに押し広げられた手前の端部までしか成形されない状態となる。
【００２７】
そのような状態にしておくことで、内容液Ｌが開口部４まで導かれることがなくなり、その結果、内容液Ｌが周囲のものに付着してしまったり、開口部４に汚れが付着してしまうことが防止できる。
【００２８】
更に、図示はしないが、前記袋体１の開口部４の端部３に撥水効果が得られる表面処理を施しても良い。開口部４の端部３の密着を防止するのである。即ち、端部３に撥水効果があることで内容液Ｌの毛細管現象を防止することができ、前述した効果を得ることができる。
【符号の説明】
【００２９】
１    袋体
２    平坦部
３    端部
４    開口部
５    周囲
６    端部
７    挟持具
８    爪部
９    両脇部
１０  中央部
２１  挟持具
２２  爪部
２３  底部
２４  案内部
３１  挟持具
３２  腕部
３３  顎部
４１  挟持具
４２  切欠き部
４３  腕部
４４  押さえ部
４５  突起部
５１  挟持具
５２  突出部
Ｌ    内容液
Ｔ    押圧部
Ｃ    クリアランス
【図１】
2013233941.tif 000003
【図２】
2013233941.tif 000004
【図３】
2013233941.tif 000005
【図４】
2013233941.tif 000006
【図５】
2013233941.tif 000007
【図６】
2013233941.tif 000008
【図７】
2013233941.tif 000009
【図８】
2013233941.tif 000010
【図９】
2013233941.tif 000011
【図１０】
2013233941.tif 000012
【図１１】
2013233941.tif 000013
【図１２】
2013233941.tif 000014
【図１３】
2013233941.tif 000015
【図１４】
2013233941.tif 000016
【図１５】
2013233941.tif 000017
【図１６】
2013233941.tif 000018
【図１７】
2013233941.tif 000019
【図１８】
2013233941.tif 000020
【図１９】
2013233941.tif 000021
【図２０】
2013233941.tif 000022
【図２１】
2013233941.tif 000023
【図２２】
2013233941.tif 000024